【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
ｉＳＣＳＩイニシエータ機能を有するホストと、ｉＳＣＳＩターゲット機能を有し複数のポートを備え前記ホストとＩＰネットワークを介して通信可能なストレージと、前記ストレージと通信可能な管理サーバと、を具備したストレージシステムであって、
前記管理サーバは、
前記複数のポートごとの負荷を示す負荷情報を収集する負荷情報収集部と、
前記複数のポートのうち前記ホストと通信するための使用ポートに係る通信障害が発生した場合、前記使用ポートを除く前記複数のポートから、前記負荷情報を参照し前記負荷に応じて前記使用ポートを代替する代替ポートを選定し、前記使用ポートの通信条件を前記代替ポートに引き継がせ、前記使用ポートに係る通信を前記代替ポートによって継続させる代替ポート選定部と、
を具備したことを特徴とするストレージシステム。
【請求項２】
ｉＳＣＳＩイニシエータ機能を有するホストと、ｉＳＣＳＩターゲット機能を有し複数のポートを備え前記ホストとＩＰネットワークを介して通信可能なストレージと、前記ストレージと通信可能な管理サーバと、を具備したストレージシステムであって、
前記管理サーバは、
前記ストレージシステムの物理構成または論理構成を示す構成情報を収集する構成情報収集部と、
前記複数のポートのうち前記ホストと通信するための使用ポートに係る通信障害が発生した場合、前記使用ポートを除く前記複数のポートから、前記構成情報を参照し前記物理構成または前記論理構成に応じて前記使用ポートを代替する代替ポートを選定し、前記使用ポートの通信条件を前記代替ポートに引き継がせ、前記使用ポートに係る通信を前記代替ポートによって継続させる代替ポート選定部と、
を具備したことを特徴とするストレージシステム。
【請求項３】
ｉＳＣＳＩイニシエータ機能を有するホストと、ｉＳＣＳＩターゲット機能を有し複数のポートを備え前記ホストとＩＰネットワークを介して通信可能なストレージと、前記ストレージと通信可能な管理サーバと、を具備したストレージシステムであって、
前記管理サーバは、
前記複数のポートごとの負荷を示す負荷情報を収集する負荷情報収集部と、
前記ストレージシステムの物理構成または論理構成を表す構成情報を収集する構成情報収集部と、
前記複数のポートのうち前記ホストと通信するための使用ポートに係る通信障害が発生した場合、前記負荷情報および前記構成情報を参照し、前記負荷と前記物理構成または前記論理構成とに応じて、前記使用ポートを除く前記複数のポートから前記使用ポートを代替する代替ポートを選定し、前記使用ポートの通信条件を前記代替ポートに引き継がせ、前記使用ポートに係る通信を前記代替ポートによって継続させる代替ポート選定部と、
を具備したことを特徴とするストレージシステム。
【請求項４】
ｉＳＣＳＩイニシエータ機能を有するホストと、ｉＳＣＳＩターゲット機能を有し複数のポートを備え前記ホストとＩＰネットワークを介して通信可能なストレージと、前記ストレージと通信可能な管理サーバと、を具備したストレージシステムであって、
前記管理サーバは、
前記ストレージが有するポートごとの負荷情報を収集する負荷情報収集部、または、前記ストレージシステムの物理構成または論理構成を表す構成情報を収集する構成情報収集部の少なくとも１つと、
前記複数のポートのうち前記ホストと通信するための使用ポートに係るエラーが所定値を超えた場合、前記負荷情報および前記構成情報を参照し、前記負荷、前記物理構成または前記論理構成に応じて、前記使用ポートを除く前記複数のポートから前記使用ポートを代替する代替ポートを選定し、前記使用ポートの通信条件を前記代替ポートに引き継がせ、前記使用ポートに係る通信を前記代替ポートによって継続させる代替ポート選定部と、
を具備したことを特徴とするストレージシステム。
【請求項５】
ＮＡＳクライアント機能を有するホストと、ＮＡＳサーバ機能を有し複数のポートを備え前記ホストとＩＰネットワークを介して通信可能なストレージと、前記ストレージと通信可能な管理サーバと、を具備したストレージシステムであって、
前記管理サーバは、
前記複数のポートごとの負荷を示す負荷情報を収集する負荷情報収集部と、
前記複数のポートのうち前記ホストと通信するための使用ポートに係る通信障害が発生した場合、前記使用ポートを除く前記複数のポートから、前記負荷情報を参照し前記負荷に応じて前記使用ポートを代替する代替ポートを選定し、前記使用ポートの通信条件を前記代替ポートに引き継がせ、前記使用ポートに係る通信を前記代替ポートによって継続させる代替ポート選定部と、
を具備したことを特徴とするストレージシステム。
【請求項６】
ｉＳＣＳＩターゲット機能を有し複数のポートを備えｉＳＣＳＩイニシエータ機能を有するホストと通信可能なストレージ装置であって、
前記複数のポートのうち前記ホストとの通信のための使用ポートに係る通信障害が発生したことを検知する通信障害検知部と、
前記通信障害が発生した場合、前記複数のポートのうち前記使用ポートと同一のブロードキャストドメインに属するポートから前記使用ポートを代替する代替ポートを選定し、前記代替ポートに前記使用ポートのＩＰアドレスおよびｉＳＣＳＩターゲット情報を引き継がせる代替ポート選定部と、
前記代替ポートを通じてGratuitous ARPパケットを送信することにより前記ホストとのｉＳＣＳＩセッションを継続させるｉＳＣＳＩセッション継続部と、
を具備したことを特徴とするストレージ装置。
【請求項７】
ＮＡＳサーバ機能を有し複数のポートを備えＮＡＳクライアント機能を有するホストと通信可能なストレージ装置であって、
前記複数のポートのうち前記ホストとの通信のための使用中ポートに係る通信障害が発生したことを検知する通信障害検知部と、
前記通信障害が発生した場合、前記使用ポートと同一のブロードキャストドメインに属するポートから代替ポートを選定し、前記代替ポートに前記通信中ポートのＩＰアドレスを引き継がせる代替ポート選定部と、
前記代替ポートを通じてGratuitous ARPパケットを送信することにより前記ホストとのＮＡＳセッションを継続させるＮＡＳセッション継続部と、
を具備したことを特徴とするストレージ装置。
【請求項８】
ｉＳＣＳＩターゲット機能を有しｉＳＣＳＩイニシエータ機能を有するホストとｉＳＣＳＩ通信可能なストレージ装置であって、
前記ストレージ装置の通信中ポートに係る通信障害が発生したことを検知する通信障害検知部と、
前記通信中ポートに係る前記通信障害が発生した場合、前記通信中ポートと同一のブロードキャストドメインに属するポートのうちｉＳＣＳＩセッション数またはＩ／Ｏ量がより少ないポートから代替ポートを選定し、前記代替ポートに前記通信中ポートに通信条件を引き継がせる代替ポート選定部と、
前記代替ポートを通じてGratuitous ARPパケットを送信することにより前記ホストとのｉＳＣＳＩセッションを継続させるｉＳＣＳＩセッション継続部と、
を具備したことを特徴とするストレージ装置。
【請求項９】
ＮＡＳサーバ機能を有しＮＡＳクライアント機能を有するホストとＩＰ通信可能なストレージ装置であって、
前記ストレージ装置の通信中ポートに係るＩＰ通信障害が発生したことを検知する通信障害検知部と、
前記通信中ポートに係るＩＰ通信障害が発生した場合、当該通信中ポートと同一ブロードキャストドメインに属するポートのうちＮＡＳセッション数またはＩ／Ｏ量がより少ないポートから代替ポートを選定し、前記代替ポートに通信条件を引き継がせる代替ポート選定部と、
当該他のポートを通じてGratuitous ARPパケットを送信することにより前記ホストとのＮＡＳセッションを継続するＮＡＳセッション継続部と、
を具備したことを特徴とするストレージ装置。
【請求項１０】
請求項１から請求項５のいずれかに記載のストレージシステムにおいて、
前記ストレージは、複数のポートを具備したネットワークコントローラを複数具備し、
前記代替ポート選定手段は、前記通信中ポートと同一のブロードキャストドメインに属し、かつ、前記通信中ポートが属する前記ネットワークコントローラと異なる前記ネットワークコントローラに属するポートから、前記代替ポートを選定することを特徴とするストレージシステム。
【請求項１１】
請求項６から請求項９のいずれかに記載のストレージ装置において、
複数のポートを具備したネットワークコントローラを複数具備し、
前記代替ポート選定手段は、前記通信中ポートと同一のブロードキャストドメインに属し、かつ、前記通信中ポートが属する前記ネットワークコントローラと異なる前記ネットワークコントローラに属するポートから、前記代替ポートを選定することを特徴とするストレージ装置。